(57)【特許請求の範囲】
【請求項１】
ガイドワイヤのための雄型連結器であって、前記ガイドワイヤは中空の壁のある管を有し、前記雄型連結器は、
前記ガイドワイヤと物理的に連結したコネクタ部分であって、前記コネクタ部分は、前記ガイドワイヤの直径に本質的に等しい第１の直径を有する第１の部分、前記ガイドワイヤの直径より小さい第２の直径を有する第２の部分、及び前記第１の部分と前記第２の部分の間にあって前記第１の直径から前記第２の直径へ徐々に直径が減少する境界部分を含み、前記コネクタ部分は前記管の一部として一体化され、前記管の近端部に位置する、前記コネクタ部分と、
前記コネクタ部分の前記第２の部分と連結する第１の導通性リングと、
前記第１の導通性リングと前記コネクタ部分の間に配置される絶縁層と、を含み、
前記コネクタ部分の第２の部分と前記第１の導通性リングとを連結した後における前記第１の導通性リングの直径は本質的に前記ガイドワイヤの直径と等しい、雄型連結器。
【請求項２】
前記第１の導通性リングに電気的に連結された電気ワイヤをさらに含む、請求項１に記載の雄型連結器。
【請求項３】
前記電気ワイヤと電気的に連結した、前記管内部に位置する、センサを備える電子的な要素をさらに含む、請求項２に記載の雄型連結器。
【請求項４】
前記コネクタ部分が、前記電気ワイヤを通すことができる第１の開口部を含む、請求項２または３に記載の雄型連結器。
【請求項５】
前記絶縁層は、前記電気ワイヤを通すことができるように前記第１の開口部と整列される第２の開口部を含む、請求項４記載の雄型連結器。
【請求項６】
前記電気ワイヤが前記第１の開口部および前記第２の開口部に通される、請求項５記載の雄型連結器。
【請求項７】
前記第１の開口部および前記第２の開口部は絶縁材料で満たされる、請求項６記載の雄型連結器。
【請求項８】
第２の導通性リングをさらに含み、前記第１の導通性リングと前記第２の導通性リングとが互いに接触しないように、前記第２の導通性リングが前記コネクタ部分と連結する、請求項１記載の雄型連結器。
【請求項９】
直径が前記ガイドワイヤの直径より小さい前記コネクタ部分上の場所がポリマーで満たされ、これにより、本質的に前記ガイドワイヤの直径に類似した直径を有する雄型連結器を形成する、請求項８記載の雄型連結器。
【請求項１０】
前記第１の導通性リングが開いたリングである、請求項１記載の雄型連結器。
【発明の詳細な説明】
【技術分野】
【０００１】
本発明は一般にガイドワイヤに関連があり、特に電子要素を含むガイドワイヤを相互接続するための方法およびシステムに関する。
【背景技術】
【０００２】
ガイドワイヤは、例えば、医師が患者の体の内腔内で所望の場所にそれを進ませ、ガイドワイヤを用いて所望の場所にカテーテルを挿入することができるような、非侵襲的手術において使用される。そのようなガイドワイヤは、従来技術において周知である。あるタイプのガイドワイヤはその先端部に置かれたセンサを含む。センサは、ガイドワイヤに沿って通る一対のワイヤと接続される。ワイヤは、ガイドワイヤに連結される雄型コネクタに接続される。雄コネクタは雌型コネクタに接続される。雌型コネクタは、医療装置に接続される。
【０００３】
「雄型コネクタを有するガイドワイヤ」と称されたAkerfeldtその他に対する米国特許Ｎｏ.６,０９０,０５２は、コアワイヤを含むガイドワイヤである。導線は、ガイドワイヤの末端部でセンサに接続される。導線は、部分的にコアワイヤを包む薄い可撓性シートの上でコアワイヤに沿って延長する。可撓性シートは、ガイドワイヤの近端部でより広い部分を有する。導線は、可撓性シートのより広い部分上に形成された導通性ストリップに接続する。導線および導通性ストリップは、一般的な「旗を有する旗竿」の形状を形成する。導通性ストリップを有する可撓性シートの広い部分は、コアワイヤの近端部周辺で包まれ、それによって、円柱状の接触を成形する。
【０００４】
「雌型コネクタ」と称されたAkerfeldtに対する米国特許Ｎｏ.６,４２８,３３６は、シリンダの形状を有する３つの中空の接触部材を含んでいる絶縁している中空のハウジングを含むガイドワイヤの方への雌型コネクタである。ハウジングは、ガイドワイヤの雄型コネクタおよび３つの接触シートを挿入するための開口部を含む。ハウジングは、雌型コネクタにガイドワイヤの雄型コネクタを固定するための手段をさらに含む。中空の接触部材は、接触シートに配置される。インターフェース・ケーブルは、接触部材に接続される。雄型コネクタはハウジングの開口部に挿入され、固定手段によって適所に固定される。接触部材は、雄型コネクタとの電気接触を提供する。
【先行技術文献】
【特許文献】
【０００５】
【特許文献１】米国特許番号６，０９０，０５２
【特許文献２】米国特許番号６，４２８，３３６
【発明の概要】
【０００６】
本発明の目的は、新規な雌雄連結器をガイドワイヤに提供することである。
【０００７】
本発明によれば、ガイドワイヤの雄型連結器が次のように提供される。ガイドワイヤは、中空の壁のある管を有する。雄型連結器は、コネクタ部分および少なくとも一つの導通性リングを含む。コネクタ部分の一部は、中空管の直径よりも小さい直径を有する。コネクタ部分は、ガイドワイヤに連結される。少なくとも一つの導通性リングは、コネクタ部分の直径がガイドワイヤの直径よりも小さいところでコネクタ部分に連結される。コネクタ部分および少なくとも一つの導通性リングの直径は、本質的にガイドワイヤの直径に等しい。
【０００８】
本発明の他の態様によれば、ガイドワイヤの雌型連結器は次のように提供される。雌型連結器は、使い捨ての部分および使い捨てではない部分を含む。使い捨ての部分は、使い捨ての管状体、少なくとも一つの導電性スプリング、外被およびコレットを含む。使い捨ての管状体は、開いた端および閉じた端を有する。少なくとも一つの導電性スプリングは、各々の少なくとも一つの導電性スプリングが使い捨ての管状体の内壁と接触する部分と、使い捨ての管状体の外壁と接触する部分とを有するように使い捨ての管状体に連結される。外被は、使い捨ての管状体の開いた端でその使い捨ての管状体に連結される。外被は、使い捨ての管状体の閉じた端の方へ延長する。コレットは、使い捨ての管状体内で雄型連結器を固定するため、その使い捨ての管状体の開いた端に連結される。使い捨てではない部分は、使い捨てではない管状体と少なくとも一つの接触とを含む。少なくとも一つの接触は、少なくとも一つの接触の外周が使い捨てではない管状体の内壁の一部の外周を囲むように、使い捨てではない管状体に連結される。使い捨ての部分は、使い捨てではない部分に挿入可能である。少なくとも一つの導電性スプリングは、使い捨ての部分が完全に使い捨てではない部分に挿入される場合、少なくとも一つの接触と電気的に接触する。
【０００９】
本発明のさらなる態様によれば、中空の壁のある管を有するガイドワイヤが次のように提供される。ガイドワイヤは、雄型コネクタおよび雌型コネクタを含む。雄の連結器は、コネクタ部分および少なくとも一つの導通性リングを含む。コネクタ部分の一部は、中空管の直径より小さい直径を有する。コネクタ部分は、ガイドワイヤに連結される。少なくとも一つの導通性リングは、コネクタ部分の直径がガイドワイヤの直径より小さいところでそのコネクタ部分に連結される。雌型コネクタは、使い捨ての部分および使い捨てではない部分を含む。使い捨ての部分は、使い捨ての管状体、少なくとも一つの導電性スプリング、外被およびコレットを含む。使い捨ての管状体は、開いた端および閉じた端を有する。少なくとも一つの導電性スプリングは、各々の少なくとも一つの導電性スプリングが使い捨ての管状体の内壁と接触する部分と、使い捨ての管状体の外壁と接触する部分とを有するように使い捨ての管状体に連結される。外被は、使い捨ての管状体の開いた端でその使い捨ての管状体に連結される。外被は、使い捨ての管状体の閉じた端の方へ延長する。コレットは、使い捨ての管状体内で雄の連結器を固定するためにその使い捨ての管状体の開いた端に連結される。使い捨てではない部分は、使い捨てではない管状体と少なくとも一つの接触とを含む。少なくとも一つの接触は、少なくとも一つの接触の外周が使い捨てではない管状体の内壁の一部の外周を囲むように使い捨てではない管状体に連結される。コネクタ部分および少なくとも一つの導通性リングの直径は、本質的にガイドワイヤの直径に等しい。使い捨ての部分は、使い捨てではない部分に挿入可能である。少なくとも一つの導電性スプリングは、使い捨ての部分が完全に使い捨てではない部分に挿入される場合、少なくとも一つの接触と電気的に接触する。雄型連結器は、雌型連結器の使い捨ての部分に挿入可能である。雄型連結器が雌型連結器に挿入される場合、少なくとも一つの導通性リングは、少なくとも一つの導電性スプリングのそれぞれの一つと電気的に接触する。
【図面の簡単な説明】
【００１０】
本発明は図面と共にと以下の詳細な説明からより完全に理解されかつ認識される。ここで：
【図１Ａ】開示された本発明の実施態様によって作成され効果のある、雄型連結器を含むガイドワイヤの斜視分解図である。
【図１Ｂ】開示された本発明の他の実施態様によって作成され効果のある、ガイドワイヤの長さに平行した面に沿った図１Ａのガイドワイヤの断面図である。
【図１Ｃ】開示された本発明のさらなる実施態様によって作成され効果のある、ガイドワイヤの長さに垂直の面に沿った図１Ｂのガイドワイヤの断面図である。
【図２】開示された本発明の他の実施態様によって作成され効果のある、ガイドワイヤ挿入部の正投影図である。
【図３Ａ】開示された本発明のさらなる実施態様によって作成され効果のある、ガイドワイヤに連結された図２のガイドワイヤ挿入部の斜視分解図である。
【図３Ｂ】開示された本発明の他の実施態様によって作成され効果のある、ガイドワイヤに連結される図２のガイドワイヤ挿入部の他の斜視分解図である。
【図３Ｃ】開示された本発明のさらなる実施態様によって作成され効果のある、ガイドワイヤに連結された図３Ａおよび３Ｂにおいて図示されるガイドワイヤ挿入部の断面図である。
【図４Ａ】開示された本発明の他の実施態様によって作成され効果のある、他のガイドワイヤ挿入部の断面図である。
【図４Ｂ】開示された本発明のさらなる実施態様によって作成され効果のある、ガイドワイヤに連結された図４Ａのガイドワイヤ挿入部の断面図である。
【図５】開示された本発明の他の実施態様によって作成され効果のある、ガイドワイヤに連結されたさらなるガイドワイヤ挿入部の断面図である。
【図６Ａ】開示された本発明のさらなる実施態様によって作成され効果のある、ガイドワイヤ雄型連結器の概略的な斜視分解図である。
【図６Ｂ】開示された本発明のさらなる実施態様によって作成され効果のある、組み立てられたガイドワイヤの雄型連結器の概略的な斜視図である。
【図６Ｃ】開示された本発明の他の実施態様によって作成され効果のある、雄型連結器の長さに平行した面に沿ったガイドワイヤの雄型連結器の概略的な断面図である。
【図７Ａ】および
【図７Ｂ】開示された本発明の他の実施態様によって作成され効果のある、雌型連結器の使い捨ての部分の断面図である。
【図８Ａ】および
【図８Ｂ】開示された本発明のさらなる実施態様によって作成され効果のある、雌型連結器の使い捨てではない部分の断面図である。
【図９】開示された本発明の他の実施態様によって作成され効果のある、雄型連結器の断面図である。
【図１０Ａ】開示された本発明の他の実施態様によって作成され効果のある、図８Ａの使い捨てではない部分に挿入される図６Ａの使い捨ての部分の断面図である。
【図１０Ｂ】開示された本発明のさらなる実施態様によって作成され効果のある、図８Ａの使い捨てではない部分に挿入される図７Ａの使い捨ての部分、および、図７Ａの使い捨ての部分に挿入される図８の雄型連結器の断面図である。
【図１１】開示された本発明の他の実施態様によって作成され効果のある、雌型連結器の使い捨ての部分および使い捨てではない部分の等積の斜視図である。
【発明を実施するための形態】
【００１１】
本発明は、電子要素を含むガイドワイヤを外側のシステムに相互接続する新規な装置および方法を提供することによって、先行技術の不都合を克服する。外側のシステムは、ガイドワイヤの電子要素からの電気信号の受信を可能にする。本発明は、迅速かつ単純な方法で複数回、外側のシステムへのガイドワイヤの連結および分離を可能にする。本発明の装置は、ガイドワイヤと同じ直径を有し、それによって、カテーテルおよび他の類似した装置が容易にガイドワイヤに配置され、かつ、ガイドワイヤから取り除かれるのを可能にするように設計される。加えて、本発明の装置はガイドワイヤ本体のそれに類似した強度および安定度を有し、それによって本発明の装置は、ガイドワイヤ本体が耐えられる力に類似した張力、圧縮および回転力に耐えることができる。
【００１２】
一例として、本発明がガイドワイヤに関してここで記載されることに留意する必要がある。しかしながら、本発明は、医学的応用で使われることができる介入または診断機能を実行するためのスタイレット、カテーテル付きバルーン、ステントまたは他の装置のような他の類似した装置で使われる可能性がある。また説明全体にわたって、用語「連結」「接続」および「取り付ける」は交換可能に使用され、用語「切り離す」「分離」および「取り外す」もまた交換可能に使用される。一般に本発明は、電子要素を含むガイドワイヤを外側のシステムに相互接続するための装置および方法に関連がある。そのような電子要素は、熱センサ、圧力センサ、磁気位置センサなどのような様々な形のセンサを含む可能性がある。一般にそのようなセンサはガイドワイヤ本体の一部に位置し、電気ワイヤを含む。そのようなワイヤは、センサによって生成された電気信号を外側のシステムに提供し、さらに外側のシステムによって生成される電気信号をセンサに提供する。外側のシステムは、電源装置、オシロスコープ、コンピュータ、医療機器などであってもよい。
【００１３】
様々な用途において、ガイドワイヤは異なるタイプの本体に挿入される。例えば、医学的応用において、ガイドワイヤは血管、動脈、患者の内臓などに挿入される可能性がある。外側のシステムに連結される電子要素を有するそのようなガイドワイヤは、医師のようなユーザがガイドワイヤ上にカテーテルのような装置をすべり込ませることができるように外側のシステムから切り離される必要がある。装置がガイドワイヤを通じてすべり込むならば、ガイドワイヤは電子要素から信号を受信できるように外側のシステムと再び連結する必要がある。またそのようなガイドワイヤは通常、使用後に外側のシステムから切り離される必要があり、その後廃棄される使いきりの使い捨て装置である。特定の医学的応用において、そのようなガイドワイヤは、使用の間にきれいにされ、滅菌するために外側のシステムから切り離される必要がある。下記のように、本発明は、ガイドワイヤの電子要素が相互接続装置に連結されるシステムを提供する。相互接続装置は、物理的にガイドワイヤに連結される。相互接続装置は、電気信号を提供し、転送するために外側のシステムに連結することができる接触面を含む。本発明によれば、外側のシステムは、物理的にガイドワイヤに連結される相互接続装置を受けるための収容装置が提供される。一般に相互接続装置は相互接続と呼ぶことができ、２つの用語「相互接続装置」および「相互接続」は説明全体にわたって交換可能に使用される。説明において使用される規則として、物理的にガイドワイヤに連結される本発明の部分は、雄型連結器または雄型コネクタと呼ばれ、一方で、雄型連結器を受けるため外側のシステムを備える本発明の部分は雌型連結器または雌型コネクタと呼ばれる。換言すれば、本発明は、２つの部分である雄型連結器および雌型連結器を含む相互接続に関連がある。以下に記載するように、雄型連結器は物理的にガイドワイヤに連結され、雌型連結器は物理的に外側のシステムに連結される。雄型連結器は迅速かつ単純に雌型連結器に連結されることができ、それによって、外側のシステムにガイドワイヤの電子要素を連結する。
【００１４】
ここで、開示された本発明の実施態様によって作成され効果のある、一般に１００で示される雄型連結器を含むガイドワイヤの斜視分解図である図１Ａを参照する。ガイドワイヤ１００において、下記のように雄型連結器はガイドワイヤの一部として一体化される。ガイドワイヤ１００は、近位部分１０２を含む。近位部分１０２は、外側のシステム（図示せず）に連結されるガイドワイヤ１００の端部を表し、通常の部分１０１、境界部分１０４および縮径部分１０６を含む。ガイドワイヤ１００の末端部分（図示せず）は、通常本体に挿入されるガイドワイヤ１００の他端の部分を表す。中空である壁のある管で、ガイドワイヤ１００は作成される。本発明の一実施態様において、その壁のある管は、厚い壁のある管である。一般に説明全体にわたって、用語「中空の壁のある管」は所定の厚さの中空の壁のある管を表すために使われ、厚いおよび薄い中空の壁のある管を含む。ガイドワイヤ１００の空洞１０５は、空洞または内腔と呼ばれることができる。図１Ｂに示すように、壁のある管は内径および外径（図１Ａにおいて図示せず）を含む。通常の部分１０１は、ガイドワイヤの大多数の長さにおけるガイドワイヤの壁のある管のサイズ、特に直径を表す。境界部分１０４は近位部分１０２を表し、そこで、壁のある管の外径は所定のサイズまで徐々に減少する。縮径部分１０６は近位部分１０２の端部を表し、そこで、壁のある管の外径は所定の減少したサイズで一定に維持される。境界部分１０４および縮径部分１０６は、例えば心棒上での両側の伸張、その部分の機械加工、その部分の研削、心なし研削工程の使用、冷熱作業工程の使用などの多数の公知技術によって形成することができる。
【００１５】
本発明の他の実施態様において、境界部分１０４および縮径部分１０６は第２の壁のある管（図示せず）によって取り替えられる。この第２の壁のある管は、通常の部分１０１の内径に本質的に類似した外径を有し、境界部分１０４および縮径部分１０６の組み合わせた長さに本質的に類似した長さを有する。本実施態様において、第２の壁のある管は通常の部分１０１に挿入され、通常の部分１０１に溶接または結合される。本実施態様において、壁のある管および第２の壁のある管の直径はおよそ数百マイクロメートル（すなわち数ミリメートル）である可能性がある。例えば、通常の部分１０１の外径は０.３５ミリメートルであり、０.１８ミリメートルの内径を有する。第２の壁のある管の外径は０.１８ミリメートルであり、０.０９ミリメートルの内径を有する。
【００１６】
縮径部分１０６において、開口部１０８が形成され、ガイドワイヤ１００の内腔１０５を露出させる。第２の壁のある管を含む上記にちょうど記載された実施態様において、開口部１０８はその第２の壁のある管の上に形成される。開口部１０８は、機械加工、微小な機械加工、カット、レーザカット、放電加工機（ＥＤＭ）、化学的エッチングなどの公知技術を用いて形成されることができる。開口部１０８は、ガイドワイヤ１００において電気ワイヤ（図示せず）のような電子要素を通すのに十分大きいように形成される。上記したように、図１Ａは、ガイドワイヤ１００の様々な要素が切り離されるが、それらが物理的に組み立てられる一般的な順番で維持される斜視分解図を表す。分離された要素は、点線１１６として図１Ａにおいて示されるそれぞれの中央線に沿って配置される。組み立てられた要素は、図１Ｂおよび１Ｃにおいて詳細に示される。境界部分１０４および縮径部分１０６の上に、カバー部分１１０は配置される。ガイドワイヤ１００の様に、カバー部分１１０は、内径および外径（両方とも図示されず）を有する壁のある管から作成されることができる。カバー部分１１０はまた、収縮可能なポリマー管、被覆、重合体のセラミック、または、非導通セラミックであってもよい。カバー部分１１０は一般に、ポリエステル（重合体の熱収縮）、テフロン（登録商標）（重合体の被覆）、または、アルミナ（被覆）のような電気的な絶縁材料でできている。カバー部分１１０は、ポリマー被覆、非導通セラミック、熱収縮管、収縮可能なポリマー管などであってもよい。カバー部分１１０の長さは、境界部分１０４および縮径部分１０６の組み合わせた長さに本質的に類似している。カバー部分１１０の内径は本質的に、縮径部分１０６の外径のサイズと同じである。カバー部分１１０の外径は、通常の部分１０１の外径より小さい。カバー部分１１０は、開口部１１２を含む。開口部１１２は本質的に、開口部１０８とサイズにおいて類似している。カバー部分１１０が被覆である場合、開口部１１２は、開口部１０８に長さにおいて類似した本質的にスリットである。開口部１１２は、カバー部分１１０が境界部分１０４および縮径部分１０６周辺に配置される場合、開口部１１２および開口部１０８が整列されるように、カバー部分１１０に配置される。
【００１７】
カバー部分１１０が境界部分１０４および縮径部分１０６周辺に配置されるならば、リング１１４Ａおよび１１４Ｂはカバー部分１１０上に配置される。一般に、リング１１４Ａおよび１１４Ｂは内径および外径（図示せず）を有する管である。リングの外径は本質的に、通常の部分１０１の外径に類似している。リングの内径は本質的に、カバー部分１１０の外径に類似している。一実施態様において、リング１１４Ａおよび１１４Ｂは電導性材料から作成されることができる。他の一実施態様において、リング１１４Ａおよび１１４Ｂは電導性材料で被覆またはメッキされる。一般に、被覆またはメッキされるリング１１４Ａおよび１１４Ｂが作成される材料は、生物学的適合性を有する。図１Ａにおいて図示された実施態様において、２つのリングはカバー部分１１０上に配置される。他の一実施態様において、複数のリングはカバー部分１１０上に配置される。一般に、ガイドワイヤ１００に含まれるリングの量は、ガイドワイヤ１００内部の電子要素のために必要とされる電気信号経路の数によって決定される。例えば、ガイドワイヤ１００が磁気位置センサ（図示せず）および温度センサ（図示せず）を含む場合、ガイドワイヤ１００は磁気位置センサのために２つおよび温度センサのための２つの合計４つの電気信号経路（すなわち４つの電気ワイヤ）を必要とする。内腔１０５において配置される各々の電気ワイヤのため、それぞれのリングはカバー部分１１０上に配置される。一実施態様において、リング１１４Ａおよび１１４Ｂは完全に閉じて（図示せず）いる。他の一実施態様において、図１Ａに示すように、リング１１４Ａおよび１１４Ｂは開いていて、開口部１１５Ａおよび１１５Ｂを有する。リング１１４Ａおよび１１４Ｂは、カバー部分上でリングを摺動させることによってカバー部分１１０上に配置されることができる。リング１１４Ａおよび１１４Ｂはまた、カバー部分１１０上で曲げることができる。リング１１４Ａおよび１１４Ｂは、開口部１１２を覆わずかつ互いに接触しないようにカバー部分１１０上に配置される。
【００１８】
図１Ｂおよび１Ｃにおいて以下に記載するように、リング１１４Ａおよび１１４Ｂは、電気ワイヤのようなガイドワイヤ１００の電子要素が連結される導通表面である。リング１１４Ａおよび１１４Ｂはそれから、外側のシステム（図示せず）上の導通表面、特に外側のシステムに連結される雌型連結器（図示せず）に連結されることができる。この点で、リング１１４Ａおよび１１４Ｂ、カバー部分１１０、境界部分１０４および縮径部分１０６は、本発明の雄型連結器の実施態様を表す。導通表面、リング１１４Ａおよび１１４Ｂがガイドワイヤ１００の近位の部分上に配置されるので、図１Ａ、１Ｂおよび１Ｃにおいて示される雄型連結器はガイドワイヤ１００の一体型の部分である。図２‐５の実施態様に示すように、これらの実施態様の雄型連結器はガイドワイヤの一体型の部分でなく、むしろ導通表面がその上に形成される要素であり、ガイドワイヤの近位の部分に連結される。
【００１９】
ここで、開示された本発明の他の実施態様によって作成され効果のある、一般に１３０で示されるガイドワイヤ長さに平行した面に沿った図１Ａのガイドワイヤの断面図である図１Ｂを参照する。下記のように、ガイドワイヤ１３０は一体型の雄型連結器を含む。図１Ｂにおいて、カバー部分１１０（図１Ａ）およびリング１１４Ａおよび１１４Ｂ（両方とも図１Ａ）のように図１Ａの分離された部分は、ガイドワイヤ１３０の上のそれらのそれぞれ順番に置かれている。上記したように、ガイドワイヤ１３０は壁のある中空管から作成される。ガイドワイヤ１３０は、壁のある部分１３２、内腔１３８、一対の電気ワイヤ１４０、カバー部分１３４およびリング１３６Ａおよび１３６Ｂを含む。電気ワイヤ１４０の対は、第１のワイヤ１４２Ａおよび第２のワイヤ１４２Ｂを含む。壁のある部分１３２は通常の部分１０１（図１Ａ）に本質的に類似し、カバー部分１３４はカバー部分１１０（図１Ａ）に本質的に類似し、リング１３６Ａおよび１３６Ｂはリング１１４Ａおよび１１４Ｂ（両方とも図１Ａの）に本質的に類似している。図１Ｂにおいて示されるガイドワイヤ１３０の部分は、ガイドワイヤの近位の部分を表す。ガイドワイヤ１３０の長さの大部分において、壁のある部分１３２は矢印１５２によって示される厚さを有する。図１Ａにおいて言及されるように、雄型連結器部分１５０として図１Ｂにおいて示される、ガイドワイヤ１３０の近位部分の端部で、壁のある部分１３２の厚さは大きさが減少する。図１Ｂに示すように、矢印１５２で示す壁のある部分１３２の厚さは、矢印１５４で示す所定の厚さに減少する。矢印１５２によって表される厚さは、矢印１５４によって表される厚さに徐々に減少する。壁のある部分１３２の厚さの減少の際、内腔１３８の厚さは変えられず、ガイドワイヤ１３０の長さ全体に沿って一定のままであることに留意する必要がある。他の一実施態様において、壁のある部分１３２の厚さはダイで壁のある部分１３２を引っ張ることによって大きさが減少する。本実施態様において、矢印１５６によって示されるガイドワイヤ１３０の外径、および、矢印１５８によって示されるガイドワイヤ１３０の内径は、サイズが減少する。このように、内腔１３８の厚さも変えられ、ガイドワイヤ１３０の長さ全体に沿って一定ではない。
【００２０】
ガイドワイヤ１３０はまた、ブラケット１４８によって輪郭付けられた開口部を含む。壁のある部分１３２に開く開口部１３７Ａおよびカバー部分１３４に開く開口部１３７Ｂは、大きさが本質的に類似しかつ整列される。ブラケット１４８によって輪郭付けられた開口部は、第１のワイヤ１４２Ａおよび第２のワイヤ１４２Ｂがそこで通過するように、十分に大きい。第１のワイヤ１４２Ａはリング１３６Ａに連結され、第２のワイヤ１４２Ｂはリング１３６Ｂに連結される。一般に、内腔１３８の各々のワイヤは、それぞれのリングに雄型連結器部分１５０において連結される。図１Ａにおいて言及されるように、ガイドワイヤ１３０は２つのワイヤのみを含むとは限らず、複数のワイヤを含むことができる。したがって、内腔１３８の各々のワイヤのために、それぞれのリングがカバー部分１３４周辺に配置される。図１Ｂで分かるように、リング１３６Ａおよび１３６Ｂは、ブラケット１４８によって輪郭付けられる開口部を覆わず、互いに接触しないように配置される。第１のワイヤ１４２Ａおよび第２のワイヤ１４２Ｂは、少量の導通性の接着剤１４４Ａおよび１４４Ｂによってそれぞれリング１３６Ａおよび１３６Ｂに連結される。第１および第２のワイヤは、溶接、ハンダ付け、蝋付け、または、導通性のボンドまたは接着剤での結合によってリングに連結されることができる。一実施態様において、ワイヤはまずカバー部分１３４に配置され、そして、リング１３６Ａおよび１３６Ｂはワイヤ上で曲げられ、それによって、ワイヤとリングとの間で強い導通経路を形成する。他の一実施態様において、図１Ｂ、および、より明らかに図１Ｃに示すように、リングがまず配置され、言及されたように例えば導通性の接着剤を使用して、ワイヤはリングに連結される。壁のある部分１３２は、例えば電気ワイヤ１４０の対のような内腔１３８の電子要素のための接地コンタクトとして役立つことに留意する必要がある。ワイヤがリングに連結されるならば、ブラケット１４８によって輪郭付けられた開口部と同様にリング１３６Ａおよび１３６Ｂ間の空間は、絶縁ポリマー１４６で満たされる。内腔１３８の端部はまた、内腔を封止し、第１のワイヤ１４２Ａおよび第２のワイヤ１４２Ｂをしっかりと固定するため、絶縁ポリマー１４６で満たされる可能性がある。絶縁ポリマー１４６はまた、絶縁ボンドまたは絶縁接着剤であってもよい。絶縁ポリマー１４６は最終的に硬化され滑らかにされて、本質的に残りのガイドワイヤ１３０の直径に類似した直径を有する雄型連結器部分１５０を形成する。
【００２１】
一般に、リング１３６Ａおよび１３６は、第１のワイヤ１４２Ａおよび第２のワイヤ１４２Ｂがリングに連結されることができるようにリング１１４Ａおよび１１４Ｂとして図１Ａに示すように開いていて、それによって、大きい導通表面が連結に提供される。また、リング１３６Ａおよび１３６Ｂが開いている場合、電気ワイヤ１４０の対の磁場よる誘導電流は減少する可能性がある。減少した誘導電流がリング１３６Ａおよび１３６Ｂに連結される外側のシステム（図示せず）によって受信される信号のノイズの減少に関連があるので、ガイドワイヤ１３０が磁気位置決めセンサのような磁気的性質を有する電子要素を含む実施態様においてこれは有意である。図１Ｂに示すように、点線１６９は、図１Ｃでガイドワイヤ１３０の長さに対し垂直の面における横断面において示されるガイドワイヤ１３０の部分を示す。
【００２２】
ここで、開示された本発明の他の実施態様によって作成され効果のある、一般に１７０で示されるガイドワイヤの長さに対して垂直の面に沿った図１Ｂのガイドワイヤの横断面図である図１Ｃを参照する。ガイドワイヤ１７０は、雄型連結器部分の横断面において示される。ガイドワイヤ１７０は、壁のある管１７６、カバー部分１７４、リング１７２および内腔１７８を含む。ガイドワイヤ１７０はまた、開口部１８４を含む。示されるように、開口部１８４は壁のある管１７６、カバー部分１７４およびリング１７２の開口部上で整列される。ガイドワイヤ１７０のこの部分において、カバー部分１７４がリング１７２内で配置され、壁のある管１７６がカバー部分１７４内で配置されて、リング１７２は外部層を形成する。内腔１７８および開口部１８４は、硬化され滑らかにされる絶縁ボンド１７９で満たされる。図１Ｃにおいて、ワイヤ１８０は、少量の導通性接着剤１８２によってリング１７２に連結される。本実施態様において、リング１７２はワイヤ１８０上部で曲げられず、むしろ、ワイヤ１８０は少量の導通性接着剤１８２を用いてリング１７２の表面に連結される。
【００２３】
ここで、開示された本発明の他の実施態様によって作成され効果のある、一般に１９０で示されるガイドワイヤ挿入部の正投影図である図２を参照する。以下に図３Ａ‐３Ｃに示すように、ガイドワイヤ挿入部１９０は、ガイドワイヤ（図示せず）に連結され、特に、電気ワイヤのようなガイドワイヤの電子要素に連結される。図２において、ガイドワイヤ挿入部１９０は３つの異なる正投影図において示される。ガイドワイヤ挿入部２００は、従来は０°の回転として記載される、側面図からガイドワイヤ挿入部１９０を示す。ガイドワイヤ挿入部２００´は、上面からガイドワイヤ挿入部２００を見るのと同じである正の方向の９０°の回転で側面からのガイドワイヤ挿入部１９０を示す。ガイドワイヤ挿入部２００´´は、底面からガイドワイヤ挿入部２００を見るのと同じである負の方向の９０°の回転で側面からのガイドワイヤ挿入部１９０を示す。
【００２４】
ガイドワイヤ挿入部２００は、成形されたポリマーから作成される。ガイドワイヤ挿入部２００は、図３Ａ‐３Ｃでさらに詳細に示すように、より大きい直径部分２０２およびより小さい直径部分２０４を有する一般的な円柱状の形状を有する。より大きい直径部分２０２は矢印２１０として示される直径を有し、より小さい直径部分２０４は矢印２１２として示される直径を有する。ガイドワイヤ２００において、より小さい直径部分２０４が矢印２１３の方向にわずかにテーパをつけられ、一方、ガイドワイヤ挿入部２００´および２００´´においてはより小さい直径部分はテーパをつけられない。直径２１０は、ガイドワイヤ挿入部２００が連結されるガイドワイヤ（図示せず）の外径に本質的に類似している。直径２１２は、ガイドワイヤ挿入部２００が連結されるガイドワイヤ（図示せず）の内径に本質的に類似している。一般に、より大きい直径部分２０２およびより小さい直径部分２０４は、およそ数十ミリメートルの長さを有する可能性がある。例えば、より大きい直径部分２０２およびより小さい直径部分２０４の両方は、１０ミリメートルに達する可能性がある。
【００２５】
本実施態様において、ガイドワイヤ挿入部２００は、特定のタイプのレーザ・エネルギに露出する場合活性化する特別に調製された樹脂から成形される。成形された状態において、樹脂はメッキ可能でないが、一方、活性化された状態ではその樹脂はメッキ可能である。一般に、メッキは表面を覆う技術に関連し、そこで物質は表面上へ堆積する。ガイドワイヤ挿入部２００において、ガイドワイヤ挿入部が形成される樹脂は、本来一般に絶縁する。ガイドワイヤ挿入部２００の一般的な形状が形成されるならば、ガイドワイヤ挿入部の表面の特定の部分は、特定のタイプのレーザ・エネルギにそれらの部分を露出させることによって活性化される。その後、ガイドワイヤ挿入部２００の表面全体は、銅、ニッケル、または、金のような導通性の金属によってメッキされる。本発明の一実施態様において、ガイドワイヤ挿入部２００の表面全体は、銅の層によって最初にメッキをされ、それからニッケルの層でメッキされ、および最終的に金の層でメッキされる。一般に、樹脂および導通性金属表面は生物学的適合性を有する。樹脂の性質により、ガイドワイヤ挿入部２００の表面の活性化された部分のみが導通性金属でメッキされ、それによって、ガイドワイヤ挿入部２００の表面の特定の部分に導通性の層を形成する。一般に、この技術は、レーザ誘導構築（ＬＤＳ）として従来技術に関連する。
【００２６】
ガイドワイヤ挿入部２００に示すように、２つの部分的なリング２０６Ａおよび２０６Ｂは、２つの経路２０８Ａおよび２０８Ｂと同じく活性化され、メッキされた。換言すれば、部分的なリング２０６Ａおよび２０６Ｂおよび経路２０８Ａおよび２０８Ｂとしてガイドワイヤ挿入部２００において輪郭付けられる表面は、導通表面であり、一方、ガイドワイヤ挿入部２００表面の他のすべての部分は絶縁表面である。それらの寸法に関して、例えば各々の部分的なリングは、ガイドワイヤ２００（矢印２１３の方向における）の軸に沿って、２つのリング間で１‐３ミリメートルの間の間隔を有して、３‐５ミリメートルの間になる可能性がある。経路２０８Ａは部分的なリング２０６Ａ（図示せず）に連結され、経路２０８Ｂは部分的なリング２０６Ｂ（図示せず）に連結される。経路２０８Ａおよび部分的なリング２０６Ａは、経路２０８Ｂおよび部分的なリング２０６Ｂと接触しない。本発明の他の実施態様で、部分的なリング２０６Ａが完全なリング（図示せず）であることに留意する必要がある。換言すれば、本実施態様において、完全なリングの導通表面は、部分的なリング２０６Ａの位置において形成される。一般に、部分的なリングは、前述したように、ガイドワイヤ挿入部１９０が連結されるガイドワイヤ（図示せず）において使用される電気要素が本来は磁性を有する場合、転送される信号のノイズを減少する誘発された電流を減少するために形成される。ガイドワイヤ挿入部２００´で分かるように、部分的なリング２０６Ａ´は、部分的なリング２０６Ａ´および経路２０８Ａ´の両方が導通表面である経路２０８Ａ´に連結される。ガイドワイヤ挿入部２００´´において、部分的なリング２０６Ｂ´´は、部分的なリング２０６Ｂ´´および経路２０８Ｂ´´の両方が導通表面である経路２０８Ｂ´´に連結される。
【００２７】
ここで、開示された本発明の他の実施態様によって作成され効果のある、一般に２２０で示されるガイドワイヤに連結した図２のガイドワイヤ挿入部の分解斜視図である図３Ａを参照する。図３Ａで分かるように、ガイドワイヤ２２１はガイドワイヤ挿入部２３２に連結される。ガイドワイヤ２２１は、中空の壁のある管２２２および内腔（図示せず）を含む。内腔内部で電気ワイヤ２２６の対は、配置される。電気ワイヤ２２６の対は、第１のワイヤ２２８Ａおよび第２のワイヤ２２８Ｂを含む。示されるガイドワイヤ２２１の部分は、ガイドワイヤの近端部である。ガイドワイヤ２２１はまた、その近端部で第１のスロット２２４および第２のスロット（図３Ａにおいて示されず、図３Ｂにおいてスロット２６４として示される）を含み、両方のスロットはガイドワイヤ２２１の近端部の対向する側に配置される。
【００２８】
ガイドワイヤ挿入部２３２は一般的な円柱状の形式を有し、より大きい直径部分２３６およびより小さい直径部分２３４である２つの部分を含む。一般に、より大きい直径部分２３６は、ガイドワイヤ２２１の直径に本質的に類似した直径を有する。例えば、ガイドワイヤ２２１が心臓脈管系の手順において使用されるガイドワイヤである場合、より大きい直径部分２３６の直径は０.３５５ミリメートルである。一般に、より小さい直径部分２３４は、ガイドワイヤ２２１の内腔（図示せず）の直径に本質的に類似した直径を有する。上記の例において、部分２３４の直径は、０.１８から０.２５ミリメートルの間である。図２にて説明したように、ガイドワイヤ挿入部２３２は、２つの導通性リング２４０Ａおよび２４０Ｂを有する。各々の導通性リングは、導通経路に連結される。導通性リング２４０Ａは、導通経路２４２に連結される。導通性リング２４０Ｂは、導通経路（図３Ａでは示されず、図３Ｂにおいて導通経路２８２として示される）に連結される。図３Ａに示すように、より小さい直径部分２３４は、その上に導通経路２４２が位置する平面２３８を含む。平面２３８に類似した第２の平面は、平面２３８（図３Ａでは示されず、図３Ｂにおいて平面２７８として示される）の反対側上でより小さい直径部分２３４に含まれる。導通性リング２４０Ａおよび２４０Ｂはそれぞれリング２０６Ａおよび２０６Ｂ（両方とも図２）に本質的に類似し、導通経路２４２は経路２０８Ａおよび経路２０８Ａ´´（両方とも図２）に本質的に類似している。第１のワイヤ２２８Ａは、２４４Ａの点で導通経路２４２と連結される。第２のワイヤ２２８Ｂは、２４４Ｂで導通経路（図示せず）に連結される。ワイヤは、溶接、ハンダ付け、蝋付け、または、導通性接着剤または導通性ボンドでの結合によって、導通経路に連結されることができる。第１のワイヤ２２８Ａが導通性リング２４０Ａと連結される導通経路２４２と連結されると、第１のワイヤ２２８Ａは導通性リング２４０Ａと連結される。図３Ｂに示すように、第２のワイヤ２２８Ｂは、部分的な導通性リング２４０Ｂと連結される。
【００２９】
一般に、より小さい直径部分２３４が中空の壁のある管２２２の内腔に挿入されるように、より小さい直径部分２３４の直径は中空の壁のある管２２２の内径に本質的に類似している。ガイドワイヤ挿入部２３２がガイドワイヤ２２１に挿入される場合に本質的に類似した直径の表面が中空の壁のある管２２２およびより大きい直径部分２３６の間で形成されるように、より大きい直径部分２３６の直径は中空の壁のある管２２２の外径に本質的に類似している。一般に、より小さい直径部分２３４およびより大きい直径部分２３６間の長さの比率は、ガイドワイヤ挿入部２３２がガイドワイヤ２２１の内腔に挿入される場合に強い連結が達成されるようにされる。換言すれば、部分２３６の長さは、本質的に部分２３４の長さと同位にある。加えて、ガイドワイヤ２２１へのガイドワイヤ挿入部２３２の連結は、例えばプレス嵌め、ガイドワイヤ挿入部２３２への中空の壁のある管２２２の圧着、中空の壁のある管２２２の内壁へのより小さい直径部分２３４のボンド接着または接着剤での接着、より小さい直径部分２３４の表面の上へのクラッシュリブの成形などの技術によって強化されることができる。ガイドワイヤ挿入部２３２がガイドワイヤ２２１に連結される場合、ガイドワイヤ挿入部２３２は、第１のワイヤ２２８Ａがガイドワイヤ挿入部２３２に連結される平面２３８が第１のスロット２２４に整列され、第２のワイヤ２２８Ｂがガイドワイヤ挿入部２３２に連結される他の平面（図示せず）が第２のスロットに整列されるように配置される。これは、点線の中央線２３０と関連して、ガイドワイヤ２２１およびガイドワイヤ挿入部２３２の一般的な位置によって示される。ガイドワイヤ挿入部２３２は最終的にガイドワイヤ２２１にボンド接着または接着剤で接着され、いずれも生物学的適合性を有する絶縁ポリマーまたは絶縁ボンドを用いて第１のスロット２２４および第２のスロットは満たされる。絶縁ポリマーまたはボンドはそれから硬化されて滑らかにされて、そして、ガイドワイヤ２２１の近位部分の直径に本質的に類似した直径を有する生物学的適合性の表面を形成する。ガイドワイヤ挿入部２３２が本質的に外側のシステム（図示せず）に連結される雌型連結器部分（図示せず）に連結されることができる雄型連結器部分を形成することに留意する必要がある。
【００３０】
ここで、開示された本発明の他の実施態様によって作成され効果のある、一般に２６０で示されるガイドワイヤと連結した図２のガイドワイヤ挿入部の他の斜視分解図である図３Ｂを参照する。図３Ａが上部からのガイドワイヤ挿入部およびガイドワイヤを示す一方で、図３Ｂは底面からのガイドワイヤ挿入部およびガイドワイヤを示す。ガイドワイヤ２６１は、中空の壁のある管２６２および内腔（図示せず）を含む。内腔内部で、電気ワイヤ２６６の対が配置される。電気ワイヤ２６６の対は、第１のワイヤ２６８Ａおよび第２のワイヤ２６８Ｂを含む。示されるガイドワイヤ２６１の部分は、ガイドワイヤの近端部である。ガイドワイヤ２６１はまた、その近端部で第２のスロット２６４および第１のスロット（図３Ｂにおいて示されず、図３Ａにおいてスロット２２４として示される）を含み、その両方のスロットはガイドワイヤ２６１の近端部の対向側に配置されている。
【００３１】
ガイドワイヤ挿入部２７２は一般的な円柱状の形式を有し、より大きい直径部分２７６およびより小さい直径部分２７４である２つの部分を含む。図２にて説明したように、ガイドワイヤ挿入部２７２は、２つの導通性の部分的なリング２８０Ａおよび２８０Ｂを有する。各々の導通性の部分的なリングは、導通経路に連結される。導通性リング２８０Ｂは、導通経路２８２に連結される。導通性リング２４０Ａは、導通経路（図３Ｂにおいて示されず、図３Ａにおいて導通経路２４２として示される）に連結される。図３Ｂに示すように、より小さい直径部分２７４は、導通経路２８２が位置する平面２７８を含む。第２の平面（平面２７８に類似した）は、平面２７８（図３Ｂにおいて示されず、図３Ａにおいて平面２３８として示される）に対向する側上のより小さい直径部分２７４に含まれる。導通性リング２８０Ａおよび２８０Ｂはそれぞれ、リング２０６Ａおよび２０６Ｂ（両方とも図２）に本質的に類似し、導通経路２８２は経路２０８Ｂおよび経路２０８Ｂ´´（両方とも図２）に本質的に類似している。第１のワイヤ２６８Ａは、２８４Ａの点で導通経路２８２に連結される。第２のワイヤ２６８Ｂは、２８４Ｂの点で導通経路（図示せず）に連結される。第１のワイヤ２６８Ａは導通性の部分的がリング２８０Ｂに連結される導通経路２８２に連結され、第１のワイヤ２６８Ａは導通性の部分的なリング２８０Ｂに連結される。図３Ａに示すように、第２のワイヤ２６８Ｂは、導通性の部分的なリング２８０Ａに連結される。
【００３２】
上記したように、一般に、より小さい直径部分２７４が中空の壁のある管２６２の内腔に挿入されるように、より小さい直径部分２７４の直径は、中空の壁のある管２６２の内径に本質的に類似している。ガイドワイヤ挿入部２７２がガイドワイヤ２６１に挿入される場合に中空の壁のある管２６２およびより大きい直径部分２７６の間で本質的に類似した直径の表面が形成されるように、より大きい直径部分２７６の直径は、中空の壁のある管２６２の外径に本質的に類似している。ガイドワイヤ挿入部２７２がガイドワイヤ２６１に連結される場合、第１のワイヤ２６８Ａがガイドワイヤ挿入部２７２に連結される平面２７８が第２のスロット２６４に整列され、第２のワイヤ２６８Ｂがガイドワイヤ挿入部２７２に連結される他の平面（図示せず）が第１のスロットに整列されるように、ガイドワイヤ挿入部２７２は配置される。これは、点線の中央線２７０と関連してガイドワイヤ２６１およびガイドワイヤ挿入部２７２の一般的な位置によって示される。
【００３３】
ここで、開示された本発明の他の実施態様によって作成され効果のある、一般に３００で示されるガイドワイヤに連結される図３Ａおよび３Ｂにおいて図示されるガイドワイヤ挿入部の断面図である図３Ｃを参照する。ガイドワイヤの近端部を表すガイドワイヤ３００は、中空の壁のある管３０２、一対の電気ワイヤ３０８、２つのスロット３０４Ａおよび３０４Ｂ、内腔（図示せず）およびガイドワイヤ挿入部３１４を含む。スロット３０４Ａおよび３０４Ｂガイドワイヤ３００の近端部の長さにおいて続く。電気ワイヤ３０８の対は、第１のワイヤ３１０Ａおよび第２のワイヤ３１０Ｂを含む。ガイドワイヤ挿入部３１４は、導通性の部分的なリング３２０Ａおよび３２０Ｂと導通経路３２２Ａおよび３２２Ｂとを含み、各々の導通経路はそれぞれ単一の導通性の部分的なリングに連結される。導通性リング３２０Ａおよび３２０Ｂはそれぞれリング２０６Ａおよび２０６Ｂ（両方とも図２の）に本質的に類似し、導通経路３２２Ａおよび３２２Ｂはそれぞれ経路２０８Ａおよび２０８Ｂ（両方とも図２）に本質的に類似している。ガイドワイヤ挿入部３１４は図２において上記の通りに形成され、より大きい直径部分３１６およびより小さい直径部分３１８を含む。第１のワイヤ３１０Ａは３２４Ａの点で導通経路３２２Ａに連結され、第２のワイヤ３１０Ｂは３２４Ｂの点で導通経路３２２Ｂに連結される。中空の壁のある管３０２は、電気ワイヤ３０８の対のような内腔の電気要素のための接地コンタクトとして役立つことに留意する必要がある。ガイドワイヤ挿入部３１４は中空の壁のある管３０２の内腔に挿入され、部分３１２Ａおよび３１２Ｂに示すように、中空の壁のある管３０２の内壁にボンド接着または接着剤で接着される。スロット３０４Ａおよび３０４Ｂは、部分３０６Ａおよび３０６Ｂの絶縁ポリマーまたは絶縁ボンドで満たされる。絶縁ポリマーまたはボンドは、硬化され、滑らかにされる。図３Ｃで分かるように、中空の壁のある管３０２、絶縁ポリマー部分３０６Ａおよび３０６Ｂおよびより大きい直径部分３１６は、本質的に同じ直径の滑らかな表面を一緒に形成する。
【００３４】
ここで、開示された本発明の他の実施態様によって作成され効果のある、一般に３４０で示される他のガイドワイヤ挿入部の断面図である図４Ａを参照する。図２‐３Ｃにおいて記載されたように、ガイドワイヤ挿入部３４０は、ガイドワイヤ（図示せず）に連結される雄型連結器部分を表し、続いて外側のシステム（図示せず）に連結される雌型連結器部分（図示せず）に連結されることができる。ガイドワイヤ挿入部３４０は、成形されたポリマーから作成され、中心のワイヤ３５０周辺で形成される。中心のワイヤ３５０はスチール、銅、銀、金、ニッケル、または、アルミニウムのような導通性金属から形成され、１００ミクロンのような、およそ数百ミクロンの直径を有することができる。成形されたポリマーは、中心のワイヤ３５０周辺で形成される。ガイドワイヤ挿入部３４０は一般的な円柱状の形状を有し、より大きい直径部分３４６およびより小さい直径部分３４２を有する。小さい直径部分３４２は、空間３４４によって境界を定められるように、図４Ａにおいて示されるものよりも長さが長い可能性がある。
【００３５】
本実施態様において、ガイドワイヤ挿入部３４０は、複数のショット工程によって２つの異なるポリマー樹脂から成形される。一方のポリマー樹脂は金属メッキ技術によりメッキ可能であるが、他方の樹脂はメッキ可能でない。一般に、両方の樹脂は絶縁材料である。図４Ａに示すように、ガイドワイヤ挿入部３４０の２つの部分と、導通性リング３５２Ａおよび３５２Ｂとは金属メッキ工程によりメッキ可能であるポリマー樹脂から形成され、ガイドワイヤ挿入部３４０の２つの部分と絶縁リング３５４Ａおよび３５４Ｂとは金属メッキ工程によりメッキ可能でない他のポリマー樹脂から形成される。それらの寸法に関して、導通性リング３５２Ａおよび３５２Ｂは例えば３-５ミリメートルの長さであり、絶縁リング３５４Ａおよび３５４Ｂは例えば２-３ミリメートルの長さである。図４Ａにおいて示されるパターンの２つの異なる樹脂からガイドワイヤ挿入部３４０が成形されるならば、電気メッキ工程がガイドワイヤ挿入部３４０に実行される。金属メッキ工程によりメッキ可能であるポリマー樹脂から形成されたガイドワイヤ挿入部３４０の部分はメッキをされる一方で、他の樹脂から形成される部分はメッキされない。この点において、導通性リング３５２Ａおよび３５２Ｂは形成され、絶縁リング３５４Ａおよび３５４Ｂは形成される。電気メッキ工程において使用される金属は、例えば金、銅、ニッケルなどであってもよい。本発明の一実施態様において、ガイドワイヤ挿入部３４０は初めに銅の層でメッキされ、それからニッケルの層でメッキされ、最終的に金の層でメッキされる。一般に、電気メッキ工程において使用される樹脂および金属は生物学的適合性を有する。導通性リング３５２Ａおよび３５２Ｂはそれらのメッキにより導通表面になるので、導通性リング３５２Ａおよび３５２Ｂの外側表面だけが電気信号を導通できることを意味することに留意する必要がある。この点で、たとえ中心のワイヤ３５０が物理的に導通性リング３５２Ａおよび３５２Ｂに連結されるとしても、中心のワイヤ３５０は電気的に導通性リングに連結されない。図４Ａの図示された実施態様において、中心のワイヤ３５０に導通性リング３５２Ａの外側のメッキ部分を連結する接合ビーズ３６８Ａおよび３６８Ｂによって、導通性リング３５２Ａが電気的に中心のワイヤ３５０に連結される。他の一実施態様において、導通性リング３５２Ａの外側のメッキ部分は、蝋付ビーズ、周囲のハンダのいずれか、または、導通性の接着剤によって中心のワイヤ３５０に連結される。
【００３６】
部分３４８のガイドワイヤ挿入部３４０において、絶縁リング３５４Ｂは、その厚さがわずかに減少し、絶縁リング３５４Ｂの一方の側に平面が形成されるように研削または切断されてもよい。他の一実施態様において、絶縁リング３５４Ｂの一方の側に形成された平面は、ガイドワイヤ挿入部３４０を成形するのに使用された初期の型の一部である可能性がある。ガイドワイヤ挿入部３６２は、点線３６１で示すように、絶縁リング３５４Ｂの断面図を表す。ガイドワイヤ挿入部３６２は、中心のワイヤ３６６、絶縁リング３６４および平面３６５を含む。点線３５５で示すように、ガイドワイヤ挿入部３５６は、導通性リング３５２Ａの断面図を表す。ガイドワイヤ挿入部３５６は、中心のワイヤ３６０および導通性リング３５８を含む。示されるように、ガイドワイヤ挿入部３５６は一般的な円柱状の形状を有する一方で、ガイドワイヤ挿入部３６２もまた一つの側面を除いて一般的な円柱状の形状を有し、絶縁リングの厚さは平面３６５を形成するために減少された。図４Ａで示す絶縁リングの厚さの減少がガイドワイヤ挿入部３４０の一実施態様を表すことに留意する必要がある。他の一実施態様において、絶縁リング３５４Ｂは、絶縁リング３５４Ａと同じ厚さを有する。
【００３７】
ここで、開示された本発明のさらなる実施態様によって作成され効果のある、一般に３８０で示されるガイドワイヤに連結される図４Ａのガイドワイヤ挿入部の断面図である図４Ｂを参照する。ガイドワイヤ３８０の近端部を表すガイドワイヤ３８２は、中空の壁のある管３８４、一対の電気ワイヤ３８８、ブラケット３８５として示される中空の壁のある管３８４のスロット、内腔３８６およびガイドワイヤ挿入部３９２を含む。ガイドワイヤ３８２は、ハイポチューブであってもよい。ブラケット３８５で示すように、スロットはガイドワイヤ３８２の近端部の長さにおいて続く。２つのスロットを含む図２‐３Ｃにおいて示される本発明の実施態様とは異なり、ガイドワイヤ３８０は、中空の壁のある管３８４の一方のみにある一つだけのスロットを含むことに留意する必要がある。電気ワイヤ３８８の対は、第１のワイヤ３９０Ａおよび第２のワイヤ３９０Ｂを含む。ガイドワイヤ挿入部３１４は、導通性リング３９６Ａおよび３９６Ｂと、絶縁リング３９４Ａおよび３９４Ｂと、中心のワイヤ３９８とを含む。導通性リング３９６Ａおよび３９６Ｂはそれぞれ、導通性リング３５２Ａおよび３５２Ｂ（両方とも図４Ａ）に本質的に類似し、絶縁リング３９４Ａおよび３９４Ｂはそれぞれ、絶縁リング３５４Ａおよび３５４Ｂ（両方とも図４Ａ）に本質的に類似している。ガイドワイヤ挿入部３９２は図４Ａにおいて上記の通りに形成され、より大きい直径部分（図示せず）およびより小さい直径部分（図示せず）を含む。中心のワイヤ３９８は、接合ビーズ３９９Ａおよび３９９Ｂによって、電気的に導通性リング３９６Ａに連結される。
【００３８】
第１のワイヤ３９０Ａは４００Ａの点で中心のワイヤ３９８に連結され、第２のワイヤ３９０Ｂは４００Ｂ点で導通性リング３９６Ｂに連結される。導通性リング３９６Ａが接合ビーズ３９９Ａおよび３９９Ｂを経て中心のワイヤ３９８に連結されるので、第１のワイヤ３９０Ａは導通性リング３９６Ａに連結される。位置４００Ｂは、絶縁リング３９４Ｂの厚さの減少により露出する導通性リング３９６Ｂの表面上にある。両方のワイヤは、溶接、ハンダ付け、鑞付け、または、導通性の結合剤を用いた結合によって連結される。絶縁リング３９４Ｂの厚さの減少により、ガイドワイヤ３８２の直径を越えて突き出ずに第２のワイヤ３９０Ｂが直接導通性リング３９６Ｂに連結されるのが可能になる。中空の壁のある管３８４は、例えば電気ワイヤ３８８の対のように内腔３８６の電気要素のための接地コンタクトとして役立つことができることに留意する必要がある。一般に、矢印３８９によって示されるガイドワイヤ３８２の直径は、矢印４０１で示すようにガイドワイヤ挿入部３９２のより大きい直径部分（図示せず）の直径に本質的に類似している。矢印３８７で示すように内腔３８６の直径は、矢印３９９で示すようにガイドワイヤ挿入部３９２のより小さい直径部分（図示せず）の直径に、本質的に類似している。一般に、ガイドワイヤ挿入部３９２のより小さい直径部分（図示せず）およびより大きい直径部分（図示せず）の長さの比率は、ガイドワイヤ挿入部３９２がガイドワイヤ３８２の内腔３８６に挿入される場合強い連結が達成されるようにされる。加えて、ガイドワイヤ３８２へのガイドワイヤ挿入部３９２の連結は、例えばプレス嵌め、ガイドワイヤ挿入部３９２上への中空の壁のある管３８４の圧着、中空の壁のある管３８４の内壁へのより小さい直径部分のボンド接着または接着剤での接着、より小さい直径部分の表面の上へのクラッシュリブの成形などの技術によって強化されることができる。ガイドワイヤ挿入部３９２がガイドワイヤ３８２に連結される場合、第２のワイヤ３９０Ｂが配置される絶縁リング３９４Ｂの平面はスロット３８５と整列される。ガイドワイヤ挿入部３９２は中空の壁のある管３８４の内腔３８６に挿入され、中空の壁のある管３８４の内壁とボンド接着または接着剤で接着される。スロット３８５は、絶縁ポリマーまたは絶縁ボンドで満たされる。絶縁ポリマーまたはボンドは、硬化され、滑らかにされる。図４Ｂで分かるように、ガイドワイヤ３８２、絶縁ポリマー４０２およびガイドワイヤ挿入部３９２は、本質的に同じ直径の滑らかな表面を一緒に形成する。一般に、中心のワイヤ３５０は、ガイドワイヤのガイドワイヤ挿入部３９２および中空の壁のある管３８４の連結を補強する。また中心のワイヤ３５０は、先に述べた通り、電気ワイヤ３８８の対のワイヤのうちの１つの導通経路を形成する。
【００３９】
ここで、開示された本発明の他の実施態様によって作成され効果のある、一般に４２０で示されるガイドワイヤに連結されるさらなるガイドワイヤ挿入部の断面図である図５を参照する。図２‐４Ｂにおいて先に述べた通り、ガイドワイヤ挿入部４３４は、ガイドワイヤ４２２に連結される雄型連結器部分を表し、続いて、外側のシステム（図示せず）に連結される雌型連結器部分（図示せず）に連結されることができる。ガイドワイヤ４２０の近端部を表すガイドワイヤ４２２は、中空の壁のある管４２４、一対の電気ワイヤ４２８、ブラケット４３２として示される中空の壁のある管４２４のスロット、内腔４２６、および、ガイドワイヤ挿入部４３４を含む。ガイドワイヤ４２２は、ハイポチューブであってもよい。ブラケット４３２により示すように、スロットはガイドワイヤ４２０の近端部の長さで続く。２つのスロットを含む図２‐３Ｃにおいて示される開示された技術の実施態様とは異なり、ガイドワイヤ４２０は、中空の壁のある管４２４の一方のみにある一つだけスロットを含むことに留意する必要がある。電気ワイヤ４２８の対は、第１のワイヤ４３０Ａおよび第２のワイヤ４３０Ｂを含む。ガイドワイヤ挿入部４３４は、第１の導通層４４２、第１の絶縁層４４０、第２の導通層４３８および第２の絶縁層４３６を含む。
【００４０】
一実施態様において、ガイドワイヤ挿入部４３４は、成形されたポリマーからまたはマイクロ成形されたプラスチックから形成される。第１の導通層４４２は、ガイドワイヤ挿入部４３４を金、銅、ニッケルなどの導通性材料で被覆またはメッキすることによって形成される。上記したように一実施態様において、銅の層は最初にメッキされ、次にニッケルの層、最終的に金の層が続く。第１の導通層４４２は、図５に示すように、第１の絶縁層４４０により部分的に覆われる。第２の導通層４３８は、図５に示すように導通性材料で第１の絶縁層４４０を部分的に被覆またはメッキして形成される。図５に示すように、第２の導通層４３８は、第２の絶縁層４３６によって部分的に覆われる。第１および第２の絶縁層４４０および４３６は、薄い壁のあるポリエステル（ＰＥＴ）熱収縮チュービング、吹き付けられたポリマー、浸漬されたポリマー、アルミナなどのセラミックコーティングのような薄い壁のある熱収縮チュービングであってもよい。他の一実施態様において、ガイドワイヤ挿入部４３４は、マイクロ機械加工、研削、または、延伸の工程によって、導通性金属から形成される。本実施態様において、第１実施態様でガイドワイヤ挿入部を形成する成型されたポリマー上へメッキまたは被覆された第１の導通層４４２はそれ自体、第１の絶縁層がその上に配置される導通性金属である。第１の導通層４４２のメッキの費用が節約されるので、この実施態様は費用効果的である。またこの実施態様は、ガイドワイヤ挿入部が金属から形成され、ポリマーまたはプラスチックから形成されないので、より硬くかつ強固なガイドワイヤ挿入部の形成を可能にする。
【００４１】
第１のワイヤ４３０Ａは４４６Ａの点で第１の導通層４４２に連結され、第２のワイヤ４３０Ｂは４４６Ｂ点で第２の導通層４３８に連結される。中空の壁のある管４２４は、電気ワイヤ４２８の対のような内腔４２６の電気要素のための接地コンタクトとして役立つことができることに留意する必要がある。第１のワイヤ４３０Ａおよび第２のワイヤ４３０Ｂがそれぞれガイドワイヤ挿入部４３４に連結される位置４４６Ａおよび４４６Ｂの両方は、ブラケット４３２で示すようにスロットが位置するガイドワイヤ４２２の側にあることにもまた留意する必要がある。これは、下記のようにボンドまたは接着剤によって、ガイドワイヤ挿入部４３４の一方の側面が直接ガイドワイヤ４２２のもう一方の側面に連結されるのを可能にする。一般に、矢印４５２によって示されるガイドワイヤ４２２の直径は、矢印４５０で示すように、ガイドワイヤ挿入部４３４のより大きい直径部分（図示せず）の直径に本質的に類似している。矢印４５４で示すように内腔４２６の直径は、矢印４４８で示すようにガイドワイヤ挿入部４３４のより小さい直径部分（図示せず）の直径に本質的に類似している。一般に、ガイドワイヤ挿入部４３４のより小さい直径部分（図示せず）およびより大きい直径部分（図示せず）の間の長さの比率は、ガイドワイヤ挿入部４３４がガイドワイヤ４２２の内腔４２６に挿入される場合に強い連結が達成するようにされる。ガイドワイヤ４２２へのガイドワイヤ挿入部４３４の連結は、例えばプレス嵌め、ガイドワイヤ挿入部４３４への中空の壁のある管４２４の圧着、中空の壁のある管４２４の内壁へのより小さい直径部分のボンド接着または接着剤での接着、より小さい直径部分の表面の上へのクラッシュリブの成形などの技術によって強化されることができる。ガイドワイヤ挿入部４３４は中空の壁のある管４２４の内腔４２６に挿入され、非導通性のポリマー結合４４４を用いて中空の壁のある管４２４の内壁へボンドで接着または接着剤で接着される。スロット４３２は絶縁ポリマーまたは絶縁ボンドである非導通性ポリマー結合４４４で満たされる。絶縁ポリマーまたはボンドは硬化され、滑らかにされる。図５で分かるように、ガイドワイヤ４２２、絶縁ポリマー４４４およびガイドワイヤ挿入部４３４は、本質的に同じ直径の滑らかな表面を一緒に形成する。
【００４２】
図１Ｂ, ３Ａ, ３Ｂ, ３Ｃ, ４Ａ, ４Ｂおよび５において記載された雄型連結器は、図１Ｂの場合のようにガイドワイヤと連結または一体化する。上記の図に記載される雄型連結器は、導線を有するスタイレットや、それらの末端部におけるカテーテル付きバルーンおよびステントなどの様々な形のカテーテルのような他の侵襲性の装置と連結または一体化できることに留意する必要がある。前述の他の侵襲性装置と本発明の雄型連結器との一体化または連結する際、例えば導線のようなそのような装置の電気素子は、先に述べた通り、第１のワイヤ２２８Ａおよび第２のワイヤ２２８Ｂ（両方とも図３Ａ）のように電気ワイヤに関して、雄型連結器に連結される。
【００４３】
上記したように、本発明のガイドワイヤは、通常処置領域に置かれる外側のシステムに連結する。この場合、医師のような本発明のユーザは、上記したようにガイドワイヤに連結された雌型連結器に雄型連結器を挿入する。雌型連結器は雄型連結器と連結し、したがって、外側のシステムでガイドワイヤと連結する。本発明によれば、雌型連結器は使い捨ての部分と固定した部分の２つの部分に分けられ、使い捨ての部分は固定した部分に挿入される。後述するように、使い捨ての部分および固定した部分は、両者間で機械的かつ電気的に連結される。一般に、固定した部分は処置領域の外側のシステムに連結され、使い捨ての部分はガイドワイヤの雄型連結器に連結される。
【００４４】
ここで、開示された本発明のさらなる実施態様によって作成され効果のある、一般に４５５で示されるガイドワイヤ雄型連結器の概略斜視図である図６Ａおよび６Ｂを参照する。図６Ａは、雄型連結器４５５の分解斜視図を示す。雄型連結器４５５は、３つの管状の部分である、部分４５６、部分４５７および部分４５８を含む。管状の部分４５６は、ブラケット４６１およびブラケット４６３によって輪郭付けられる２つの縮径部分と、その間でブラケット４６２により輪郭付けられる通常の部分とを含む。管状の部分４５７は、スリット４５９を含む。管状の部分４５８は、スリット４６０、ブラケット４６４によって輪郭付けられる縮径部分、および、ブラケット４６５によって輪郭付けられる通常の部分を含む。図６Ａにおいて、ガイドワイヤ挿入部の部分４５６、４５７および４５８は、別々に図示される。
【００４５】
縮径部分４６１の外径は、ガイドワイヤ（図示せず）の内径よりわずかに小さい。通常の部分４６２および４６５の外径は、ガイドワイヤの外径に本質的に類似している。縮径部分４６３および４６４の外径は、管状の部分４５７の内径よりわずかに小さい。管状の部分４５７の外径は、ガイドワイヤの外径に本質的に類似している。
【００４６】
管状の部分４５６、４５７および４５８は、（例えば、Nirostaステンレススチール、ニチノールのような）導通性金属でできている。管状の部分４５６がガイドワイヤとも管状の部分４５７および４５８ともどちらとも電気接触を形成しないように、管状の部分４５６は部分的に（例えば、絶縁接着剤、絶縁ポリマー、アルミナのような）電気絶縁材料で完全に被覆された部分を有する。代替的に、管状の部分４５６は、絶縁材料（例えばポリマー、セラミック）でできている可能性がある。管状の部分４５８は、部分的に電気絶縁材料で被覆される。通常の部分４６５が部分的に被覆される可能性がある一方、縮径部分４６４は完全に電気絶縁材料で被覆される。したがって、管状の部分４５８は、管状の部分４５７および４５６との電気接触を形成しない。図６Ａにおいて、雄型連結器４５５の部分４５６、４５７および４５８は、別々に図示される。
【００４７】
図６Ｂは、組み立てられた雄型連結器４５５の概略斜視図を示す。縮径部分４６１は、ガイドワイヤ（図示せず）に挿入される。（図６Ｂにおいて示されず、図６Ａの）縮径部分４６３は、一方の側の管状の部分４５７に挿入される。（図６Ｂにおいて示されず、図６Ａの）縮径部分４６４は、管状の部分４５７の対向する側に挿入される。管状の部分４５７および４５８が導通性金属でできていて、その間で電気接触を形成しないので、管状の部分４５７および４５８は２つの導通性リングを形成する。これらの導通性リングはツイストワイヤ（図示せず）の対に連結され、スリット４５９および４６０から出る。ツイストペアは、ガイドワイヤに沿って配置されるセンサ（図示せず）に導かれて、連結される。したがって、センサは、導通性リングおよび雌型連結器（図示せず）を経た外側の装置に連結される可能性がある。
【００４８】
ここで、開示された本発明の他の実施態様によって作成され効果のある、雄型連結器４８０の長さと平行した面に沿って一般に４８０で示されるガイドワイヤの雄型連結器の概略的な断面図である図６Ｃを参照する。図６Ｃにおいて、雄型連結器４８０は組み立てられ、ガイドワイヤ４８２に挿入される。ガイドワイヤ４８２は、中空管を含む。雄型連結器４８０の長さは、ブラケット４８３によって輪郭付けられる。雄型連結器４８０は、３つの管状の部分である、管状の部分４８６、管状の部分４９０および管状の部分４９４を含む。
【００４９】
管状の部分４８６は、ブラケット４８５および４８９によって輪郭付けられる２つの縮径部分、および、縮径部分４８４および４８９間でブラケット４８７によって輪郭付けられる通常の部分を含む。管状の部分４９０は、スリット４９５を含む。管状の部分４９４は、スリット４９７、ブラケット４９１によって輪郭付けられる縮径部分、および、ブラケット４９３によって輪郭付けられる通常の部分を含む。
【００５０】
縮径部分４８５の外径は、ガイドワイヤ４８２の中空管の内径よりわずかに小さい。通常の部分４９３および４９７の外径は、ガイドワイヤ４８２の中空管の外径に本質的に類似している。縮径部分４８９および４９１の外径は、管状の部分４９０の内径よりもわずかに小さい。管状の部分４９０の外径は、ガイドワイヤの中空管の外径に本質的に類似している。
【００５１】
管状の部分４８６、４９０および４９４は、（例えばNirostaステンレススチール、ニチノールなどの）導通性金属でできている。代替的に、管状の部分４８６は、（例えばポリマー、セラミックなどの）絶縁材料でできている可能性がある。管状の部分４８６の縮径部分４８５は、（例えば、絶縁接着剤、絶縁ポリマー、アルミナなどの）絶縁材料でできている絶縁層４８４で被覆される。管状の部分４８６の縮径部分４８５は、ガイドワイヤ４８２の中空管に挿入される。管状の部分４８６およびガイドワイヤ４８２は、絶縁層４８４によって、その間で電気接触を形成しない。管状の部分４８６の縮径部分４８９は、絶縁層４８８で被覆される。管状の部分４８６の縮径部分４８９は、管状の部分４９０の一つの側面に挿入される。管状の部分４８６および管状の部分４９０は、絶縁層４８８によって、その間で電気接触を形成しない。管状の部分４９４の縮径部分４９１は、絶縁層４９２で被覆される。管状の部分４９４の縮径部分４９１は、管状の部分４９０のもう一方の側に挿入される。管状の部分４９４および管状の部分４９０は、絶縁層４９２によって、その間で電気接触を形成しない。したがって、管状の部分４９４および管状の部分４９０は、２つの導通性リングを形成する。これらの導通性リングは、ワイヤ４９６のツイストペアに連結される。ワイヤ４９６のツイストペアのうちの１つはスリット４９５から出て、（例えば、溶接、ハンダ付け、ボンド接着または接着剤での接着）管状の部分４９０と連結される。他のツイストワイヤ４９６の対はスリット４９７から出て（＊訳注１）、管状の部分に連結される。したがって、ガイドワイヤ４８２に沿って配置されるセンサは、導通性リングおよび雌型連結器（図示せず）を経て外側の装置と連結される。
【００５２】
ガイドワイヤ４８２の中空管への管状の部分４８６、４９０および４９４の挿入の順番は変わる可能性があることに留意する必要がある。例えば、管状の部分４９４は、ガイドワイヤ４８２の中空管に挿入される。管状の部分４８６の縮径部分４６８は、管状の部分４９４の通常の部分４９３に挿入される。管状の部分４８６の縮径部分４８９は、管状の部分４９０に挿入される。本発明の他の実施態様によれば、管状の部分４９０および４８６は、管状の部分４９４に類似した管状の部分と取り替えられる可能性がある。したがって、管状の部分４９４の縮径部分４９１はガイドワイヤ４８２の中空管に挿入され、管状の部分４９４に類似した管状の部分の縮径は管状部分４９４の通常の部分４９３に挿入される。
【００５３】
ここで、開示された本発明の他の実施態様によって作成され効果のある、雌型連結器において、一般に５００で示される使い捨ての部分の断面図である図７Ａおよび７Ｂを参照する。図７Ａは、使い捨て部分５００の縦の横断面である。使い捨ての部分５００は、使い捨ての管状体５０２、導電性スプリング５０４Ａ、５０４Ｂおよび５０４C、外被５０６、コレット・チャンク５０８およびコレット・カップ５１０を含む。管状体５０２は本質的に、内径５１２および外径５１４を有する開いた端および閉じた端を有する管の形をしている。外被５０６は、２つの固定用突起５０７Ａおよび５０７Ｂをさらに含む。突起５０７Ａおよび５０７Ｂを固定する目的は、図９Ａおよび９Ｂとともに以下に説明される。使い捨ての管状体５０２の内径５１２は、雄型コネクタ（例えば図４Ｂの雄型連結器）の外径よりわずかに大きい。内径５１２は、およそ数百マイクロメートル（例えば３５５マイクロメートル）である。
【００５４】
導電性スプリング５０４Ａ、５０４Ｂおよび５０４Cは、各々のスプリングが使い捨ての管状体５０２の内壁と接触する部分と、使い捨ての管状体５０２の外壁と接触する部分とを有するように使い捨ての管状体５０２に連結される。コレット・チャンク５０８は、管状体５０２の開いた端で使い捨ての管状体５０２に連結される。外被５０６は使い捨ての管状体５０２の開いた端で使い捨ての管状体５０２に連結され、使い捨ての管状体の閉じた端の方へ５０２を延長する。固定用突起５０７Ａおよび５０７Ｂは、使い捨ての管状体５０２の閉じた端の方へ延長する外被５０６の端部に位置する。図７Ｂは、一点鎖線５１８（図５Ａ）での使い捨ての部分５００の側方横断面である。導電性スプリング５０４Ｃの側方横断面の形状は、その例示的な実施態様を表す。導電性スプリング５０４Ｃの側方横断面は、例えばＳ字型、または、順に重なった２つのＣ字型のような他の形状を呈する可能性がある。典型的に、導電性スプリング５０４Ａおよび５０４Ｂが導電性スプリング５０４Ｃに類似していることに留意する必要がある。
【００５５】
上記したように、コレット・チャンク５０８は、使い捨ての管状体５０２に連結される。コレット・チャンク５０８は、雄型コネクタのそれに本質的に類似した内径を有する。例えば、直径５１８はおよそ数百マイクロメートル（例えば３５０マイクロメートル）である。コレット・チャンク５０８の目的は適所にガイドワイヤを固定し、ガイドワイヤの縦のおよびねじれたすべりを防ぐことである。コレット・カップ５１０がコレット・チャンク５０８にねじ込まれる場合、コレット・カップ５１０はコレット・チャンク５０８上に縦の力を出す。コレット・チャンク５０８は、この縦の力を求心力に変換する。
【００５６】
ここで、開示された本発明のさらなる実施態様によって作成され効果のある、雌型連結器において一般に５２０で示される使い捨てではない部分の断面図である図８Ａおよび８Ｂを参照する。使い捨てではない部分５２０は、使い捨てではない管状体５２２と、接触５２４Ａ、５２４Ｂおよび５２４Ｃと、遮蔽管５２６と、ツイストペア５２８としてここで参照されるワイヤ５２８と、接地ワイヤ５３０と、配線外被５４４と、殺菌したスリーブ５４２とを含む。使い捨てではない管状体５２２は、その内側と外側の壁の間の空洞５３８を含む。
【００５７】
接触５２４Ａ、５２４Ｂおよび５２４Ｃは、使い捨てではない管状体５２２に連結される。遮蔽管５２６もまた、使い捨てではない管状体５２２に連結される。ツイストペア５２８は、接触５２４Ａおよび５２４Ｂ（例えば溶接またはボンドによって）に連結される。接地ワイヤ５３０は、（例えば溶接またはボンドによって）接触５２４Ｃに連結される。ツイストペア５２８および接地ワイヤ５３０は、配線外被５４４に挿入される。大部分の配線外被５４４を有する使い捨てではない部分５２０は殺菌したスリーブ５４２において覆われる。殺菌したスリーブ５４２は、使い捨てではない管状体５２２（例えば、十字形の形状を呈する２つのスリットとして）の開いた端においてそこで裂かれた（図示せず）開口部を有する。
【００５８】
接触５２４Ａ、５２４Ｂおよび５２４Ｃの外周は、多くともおよそ数十度の内在する角度を有する弧の形状を呈する。各々の接触５２４Ａ、５２４Ｂおよび５２４Ｃの内側の表面は使い捨てではない管状体５２２に面し、各々の接触５２４Ａ、５２４Ｂおよび５２４Ｃの外側の表面は空洞５３８に面する。接触５２４Ａ、５２４Ｂおよび５２４Ｃは、接触５２４Ａ、５２４Ｂおよび５２４Ｃの内在する角度と関連して管状体５２２の内壁の一部を囲む。接触５２４Ａ、５２４Ｂおよび５２４Ｃの縦の横断面形状は長方形である。この形状は例示的な実施態様であることに留意する必要がある。接触５２４Ａ、５２４Ｂおよび５２４Ｃの縦の横断面は、Ｓ型の形状およびＣ型の形状のような他の形状を呈する可能性がある。一般に、接触５２４Ａ、５２４Ｂおよび５２４Ｃの形状は、導電性スプリング５０４Ａ、５０４Ｂおよび５０４Ｃ（図７Ａ）上にスプリング力を作成するはずである。
【００５９】
使い捨ての部分５００のような使い捨ての部分が使い捨てではない管状体５２２に適合するように接触５２４Ａ、５２４Ｂおよび５２４Ｃ、および使い捨てではない管状体５２２の内径は、およそ数ミリメートル（例えば、典型的に５から６ミリメートルの間）である。ツイストペア５２８および接地ワイヤ５３０は、空洞５３８内を通過する。遮蔽管５２６が空洞５３８において、ツイストペア５２８および接地ワイヤ５３０を電磁界干渉から遮蔽するように、遮蔽管５２６は使い捨てではない管状体５２２に連結される。遮蔽管５２６は、典型的に（例えばμメタルまたはニッケル鉄のような）強磁性材料でできている。図８Ｂは、一点鎖線５４０（図８Ａ）での使い捨てではない部分５２０の側方横断面である。
【００６０】
ここで、開示された本発明の他の実施態様によって作成され効果のある、一般に５６０で示される雄型連結器の断面図である図９を参照する。雄型コネクタ５６０は、管５６２、２つの雄の導通性リング５６４Ａおよび５６４Ｂおよび２つのそれぞれの絶縁層５６６Ａおよび５６６Ｂを含む。雄の導通性リング５６４Ａおよび５６４Ｂは、それぞれ絶縁層５６６Ａおよび５６６Ｂを経て管５６２に連結される。雄型コネクタ５６０は、図１Ｂ、３Ａ、３Ｂ、３Ｃ、４Ａ、４Ｂ、５、６Ａ、６Ｂおよび６Ｃと共に上に記載された雄型連結器のいずれであってもよいことに留意する必要がある。
【００６１】
ここで、図１０Ａおよび１０Ｂを参照する。図１０Ａは、開示された本発明のさらなる実施態様によって作成され効果のある、図８Ａの使い捨てではない部分に挿入される図７Ａの使い捨ての部分の断面図である。使い捨ての部分５００は、殺菌スリーブ５４２の開口部を通じて使い捨てではない部分５２０に挿入される。使い捨ての部分５００が使い捨てではない部分５２０に挿入される場合、外被５０６は、使い捨てではない部分５２０の本体５２２上を摺動する。使い捨ての部分５００が完全に使い捨てではない部分５２０に挿入されるならば、固定用突起５０７Ａおよび５０７Ｂは使い捨てではない管状体５２２の端部上を摺動して、使い捨ての部分５００を使い捨てではない部分５２０に固定する。使い捨ての部分５００が使い捨てではない部分５２０に固定される場合、導電性スプリング５０４Ａ、５０４Ｂおよび５０４Ｃはそれぞれ、接触５２４Ａ、５２４Ｂおよび５２４Ｃと電気的に接触する。
【００６２】
図１０Ｂは、開示された本発明のさらなる実施態様によって作成され効果のある、図８Ａの使い捨てではない部分に挿入される図７Ａの使い捨ての部分と、図７Ａの使い捨ての部分に挿入される図９の雄型連結器との断面図である。雄型コネクタ５６０は、殺菌スリーブ５４２の開口部を通じて使い捨ての部分５００に挿入される。したがって、両方の雌雄コネクタは殺菌スリーブ５４２でおおわれ、操作者が汚染のリスクを本質的に減少させて雌雄コネクタに触れるのが可能になる。雄型コネクタ５６０は、使い捨ての管状体５０２の開いた端に挿入される。雄型コネクタ５６０が使い捨ての管状体５０２の完全に開いた端に挿入されるならば、雄の導通性リング５６４Ａおよび５６４Ｂは、導通性スプリング５０４Ａおよび５０４Ｂと電気的に接触する。導電性スプリング５０４Ｃは、管５６２の本体と電気的に接触する。したがって、雄の導通性リング５６４Ａおよび５６４Ｂはツイストペア５２８に電気的に連結され、管５６２は接地ワイヤ５３０に電気的に連結される。雄型コネクタ５６０が完全に使い捨ての管状体５０２に挿入される場合、コレット・カップ５１０はコレット・チャンク５０８にねじ込まれ、コレット・チャンク５０８上に縦の力を出す。コレット・チャンク５０８はこの縦の力を求心力に変換し、したがって雄型コネクタを適所に固定して、ガイドワイヤの縦のおよびねじれたすべりを防ぐ。
【００６３】
ここで、開示された本発明の他の実施態様によって作成され効果のある、雌型連結器の使い捨ての部分および使い捨てではない部分の等積の斜視図である図１１を参照する。コレット・カップ５１０および使い捨ての部分５００の外被５０６と、使い捨てではない部分５２０の使い捨ての管状体５２２とが示される。
【００６４】
本発明が特に上記に図と共に記載されたことに限定されないことが当業者によって認識される。むしろ、本発明の範囲は以下に続く請求項のみによって定められる。
【図１Ａ】
0005777000.tif 000002
【図１Ｂ】
0005777000.tif 000003
【図１Ｃ】
0005777000.tif 000004
【図２】
0005777000.tif 000005
【図３Ａ】
0005777000.tif 000006
【図３Ｂ】
0005777000.tif 000007
【図３Ｃ】
0005777000.tif 000008
【図４Ａ】
0005777000.tif 000009
【図４Ｂ】
0005777000.tif 000010
【図５】
0005777000.tif 000011
【図６Ａ】
0005777000.tif 000012
【図６Ｂ】
0005777000.tif 000013
【図６Ｃ】
0005777000.tif 000014
【図７Ａ】
0005777000.tif 000015
【図７Ｂ】
0005777000.tif 000016
【図８Ａ】
0005777000.tif 000017
【図８Ｂ】
0005777000.tif 000018
【図９】
0005777000.tif 000019
【図１０Ａ】
0005777000.tif 000020
【図１０Ｂ】
0005777000.tif 000021
【図１１】
0005777000.tif 000022